(57)【要約】油脂性および焼き付き汚れの改良された除去特性を有する軽質液体洗剤組成物が開示され、該軽質液体洗剤組成物は、ある記載された脂肪族アミン誘導体のうち少なくとも１と、Ｃ６〜Ｃ２２のアルキル基を有するアルキルベンゼンスルホン酸塩を含んでいるアニオン性界面活性剤配合物とを含んでいる。軽質液体洗剤組成物の調製方法および使用方法も開示される。【選択図】なし【特許請求の範囲】
【請求項１】
（ａ）Ｃ６〜Ｃ２２のアルキル基を有するアルキルベンゼンスルホン酸塩を含んでいるアニオン性基本界面活性剤配合物約５重量％〜約５０重量％、および
（ｂ）
2008516012.tif 000027
2008516012.tif 000028
2008516012.tif 000029
2008516012.tif 000030
2008516012.tif 000031
およびこれらの混合物
（ここで、Ｒ１はＣ６〜Ｃ２２の、直鎖若しくは分岐の、飽和若しくは不飽和のアルキルであり；Ｒ２、Ｒ３、Ｒ４、Ｒ５、およびＲ６はそれぞれ水素、メチル、ヒドロキシエチル、ヒドロキシプロピルか、あるいはアルキルのいずれかであり；またはＲ２およびＲ３、若しくはＲ４およびＲ５は窒素とともに６員までの複素環を形成し；またはＲ２およびＲ３、若しくはＲ４およびＲ５は一緒になって−ＣＨ２ＣＨ２ＯＣＨ２ＣＨ２−基を形成し；Ｒ７はＣ５〜Ｃ２１の、直鎖若しくは分岐の、飽和若しくは不飽和のアルキルであり；Ｒ８は水素若しくはメチルであり；ｗ、ｘ、およびｙはそれぞれ２〜６の整数であり；ｚは１〜３０の整数であり；ｕは１以上の整数であり；並びにｖは２以上の整数である。）
からなる群から選択された少なくとも１の脂肪族アミン誘導体
を含んでいる軽質液体洗剤組成物。
【請求項２】
ベタイン、アルカノールアミド、アミンオキシド、アルキルポリグルコシド、脂肪酸グルカミド、脂肪族アルカノールアミドおよびこれらの混合物からなる群から選択された少なくとも１の二次界面活性剤をさらに含んでいる、請求項１の組成物。
【請求項３】
脂肪族アミン誘導体が約０．１重量％〜約１０重量％に等しい量で存在する、請求項１の組成物。
【請求項４】
脂肪族アミン誘導体が約０．１重量％〜約５重量％に等しい量で存在する、請求項３の組成物。
【請求項５】
脂肪族アミン誘導体が約０．１重量％〜約２重量％に等しい量で存在する、請求項４の組成物。
【請求項６】
アルキルベンゼンスルホン酸塩がドデシルベンゼンスルホン酸塩である、請求項１の組成物。
【請求項７】
ドデシルベンゼンスルホン酸塩が、該組成物の約７重量％〜約３０重量％に等しい量で存在する、請求項６の組成物。
【請求項８】
ドデシルベンゼンスルホン酸塩が、該組成物の約１５重量％〜約３０重量％に等しい量で存在する、請求項７の組成物。
【請求項９】
アニオン性界面活性剤基本配合物が、オレフィンスルホン酸塩、パラフィンスルホン酸塩、第二級アルカンスルホン酸塩、脂肪族アルコール硫酸塩およびこれらの混合物からなる群から選択された少なくとも１の追加のアニオン性界面活性剤をさらに含んでいる、請求項１の組成物。
【請求項１０】
ｐＨ５〜１１を有する、請求項１の組成物。
【請求項１１】
ｐＨ７．５〜９．５を有する、請求項１の組成物。
【請求項１２】
マグネシウムイオンまたはカルシウムイオンをさらに含んでいる、請求項１の組成物。
【請求項１３】
マグネシウムイオン約０．２５％未満を含んでいる、請求項１２の組成物。
【請求項１４】
少なくとも１のヒドロトロープをさらに含んでいる、請求項１の組成物。
【請求項１５】
少なくとも１の泡安定剤をさらに含んでいる、請求項１の組成物。
【請求項１６】
少なくとも１の緩衝剤をさらに含んでいる、請求項１の組成物。
【請求項１７】
少なくとも１の中和剤をさらに含んでいる、請求項１の組成物。
【請求項１８】
染料、保存剤、芳香剤、フィラー、キレート剤、可溶化剤、抗刺激剤、防汚ポリマー、分散剤、増粘剤、殺菌剤、抗真菌剤、明色化剤、酵素、研磨剤、および防錆剤からなる群から選択された少なくとも１の助剤をさらに含んでいる、請求項１の組成物。
【請求項１９】
アニオン性界面活性剤基本配合物が、実質的にエーテル硫酸塩を含まない、請求項１の組成物。
【請求項２０】
（ａ）ドデシルベンゼンスルホン酸約１５重量％未満、および
（ｂ）
2008516012.tif 000032
2008516012.tif 000033
2008516012.tif 000034
2008516012.tif 000035
2008516012.tif 000036
およびこれらの混合物
（ここで、Ｒ１はＣ６〜Ｃ２２の、直鎖若しくは分岐の、飽和若しくは不飽和のアルキルであり；Ｒ２、Ｒ３、Ｒ４、Ｒ５、およびＲ６はそれぞれ水素、メチル、ヒドロキシエチル、ヒドロキシプロピルか、あるいはアルキルのいずれかであり；またはＲ２およびＲ３、若しくはＲ４およびＲ５は窒素とともに６員までの複素環を形成し；またはＲ２およびＲ３、若しくはＲ４およびＲ５は一緒になって−ＣＨ２ＣＨ２ＯＣＨ２ＣＨ２−基を形成し；Ｒ７はＣ５〜Ｃ２１の、直鎖若しくは分岐の、飽和若しくは不飽和のアルキルであり；Ｒ８は水素若しくはメチルであり；ｗ、ｘ、およびｙはそれぞれ２〜６の整数であり；ｚは１〜３０の整数であり；ｕは１以上の整数であり；並びにｖは２以上の整数である。）
からなる群から選択された少なくとも１の脂肪族アミン誘導体
を含んでいる軽質液体洗剤組成物。
【請求項２１】
脂肪族アミン誘導体が約０．１重量％〜約１０重量％に等しい量で存在する、請求項２０の組成物。
【請求項２２】
脂肪族アミン誘導体が約０．１重量％〜約５重量％に等しい量で存在する、請求項２１の組成物。
【請求項２３】
脂肪族アミン誘導体が約０．１重量％〜約２重量％に等しい量で存在する、請求項２２の組成物。
【請求項２４】
ドデシルベンゼンスルホン酸が、該組成物の約７重量％〜約１５重量％に等しい量で存在する、請求項２０の組成物。
【請求項２５】
マグネシウムイオン約０．２５％未満をさらに含んでいる、請求項２０の組成物。
【請求項２６】
アニオン性界面活性剤基本配合物が、実質的にエーテル硫酸塩を含まない、請求項２０の組成物。
【請求項２７】
（ａ）請求項１に従う軽質液体洗剤組成物の有効な量を硬質表面に施与すること、
（ｂ）該軽質液体洗剤組成物が汚れを落ち易くすることを許すこと、および
（ｃ）該硬質表面をすすいで、落ち易くされた汚れおよび該軽質液体洗剤組成物の在りうる残留量を除去すること
を含む、硬質表面から汚れを除去する方法。
【請求項２８】
（ａ）請求項１に従う組成物の、洗浄に有効な量が、布、スポンジまたは同様の洗浄具上へと吸収され、そして
（ｂ）該布、スポンジまたは同様の洗浄具が、汚れた１または複数の物品の表面に接触される、
汚れた１または複数の物品を洗う方法。
【請求項２９】
汚れた１または複数の物品が水でそそがれる段階（ｃ）をさらに含む、請求項２８に従う汚れた物品を洗う方法。
【請求項３０】
請求項１に従う組成物の、洗浄に有効な量が水で希釈されて、希釈溶液が形成され、汚れた１または複数の物品が該希釈溶液中に浸漬されそして該汚れた物品のそれぞれの表面が布、スポンジまたは同様の洗浄具に接触されることによって洗浄される、該汚れた１または複数の物品を洗う方法。
【請求項３１】
請求項１に従う組成物の、洗浄に有効な量が水で希釈されて、希釈溶液が形成され、布、スポンジまたは同様の洗浄具が最初に該希釈溶液中に浸漬され、そして次に該布、スポンジまたは同様の洗浄具が汚れた１または複数の物品の表面と接触される、該汚れた１または複数の物品を洗う方法。
【請求項３２】
（ａ）少なくとも１の中和剤を水に添加して、溶液を形成すること、
（ｂ）Ｃ６〜Ｃ２２のアルキル基を有するアルキルベンゼンスルホン酸を溶液（ａ）に添加すること、
（ｃ）任意的に、マグネシウムイオン、カルシウムイオン、ヒドロトロープ、二次的界面活性剤、泡安定剤、緩衝剤、染料、保存剤、芳香剤、フィラー、キレート剤、可溶化剤、抗刺激剤、防汚ポリマー、分散剤、増粘剤、殺菌剤、抗真菌剤、明色化剤、酵素、研磨剤、および防錆剤からなる群から選択された１以上の追加の成分を溶液（ｂ）に添加すること、および
（ｄ）
2008516012.tif 000037
2008516012.tif 000038
2008516012.tif 000039
2008516012.tif 000040
2008516012.tif 000041
およびこれらの混合物
（ここで、Ｒ１はＣ６〜Ｃ２２の、直鎖若しくは分岐の、飽和若しくは不飽和のアルキルであり；Ｒ２、Ｒ３、Ｒ４、Ｒ５、およびＲ６はそれぞれ水素、メチル、ヒドロキシエチル、ヒドロキシプロピル、若しくはアルキルのいずれかであり；またはＲ２およびＲ３、若しくはＲ４およびＲ５は窒素とともに６員までの複素環を形成し；またはＲ２およびＲ３、若しくはＲ４およびＲ５は一緒になって−ＣＨ２ＣＨ２ＯＣＨ２ＣＨ２−基を形成し；Ｒ７はＣ５〜Ｃ２１の、直鎖若しくは分岐の、飽和若しくは不飽和のアルキルであり；Ｒ８は水素若しくはメチルであり；ｗ、ｘ、およびｙはそれぞれ２〜６の整数であり；ｚは１〜３０の整数であり；ｕは１以上の整数であり；並びにｖは２以上の整数である。）
からなる群から選択された少なくとも１の脂肪族アミン誘導体を溶液（ｃ）に添加すること
の段階を含む軽質液体洗剤組成物の調製方法。
【請求項３３】
１以上の粘度調整剤または組成物のｐＨを調整するための緩衝剤を添加することをさらに含む、請求項３２に従う方法。
【請求項３４】
請求項３２に従う方法によって製造された軽質液体洗剤組成物。
【発明の詳細な説明】
【技術分野】
【０００１】
本発明は、軽質（ライトデューティ、light  duty）液体洗剤組成物、軽質液体洗剤組成物の調製方法、並びに当該組成物の使用方法に関する。
【背景技術】
【０００２】
自動食器洗い機の人気および便利さにもかかわらず、手による食器洗いは多数の消費者の間で普通の活動であり続けている。軽質液体洗剤（「ＬＤＬＤ」または「ＬＤＬ」とも呼ばれる。）は、典型的には台所用具、取り皿、盛り皿、銀製食卓食器類、深鍋／平鍋、およびその他の汚れた調理用品の手による食器洗いに使用される。軽質液体洗剤は、繊細な織物を手によって洗浄するのに、並びに自動車の外側および多くの家屋硬質表面、たとえば床、塗装された木造部、洗える壁紙および調理台の洗浄に普通に使用される。
【０００３】
一般に、ＬＤＬ組成物は油脂除去特性のみならず、高い起泡特性をも示すことが望ましい。というのは、消費者は一般に後者をそのＬＤＬの洗浄性能と誤って結び付けるからである。また、ＬＤＬ組成物は普通、洗浄されるべき表面のみならず、洗浄している人の皮膚とも接触するだろうから、ＬＤＬは人の皮膚に温和で、かつ不乾性であることも望ましい。
【０００４】
ＬＤＬ組成物は、典型的には液状界面活性剤の混合物を含んでいる。多くの商業的に入手できるＬＤＬ組成物は、該ＬＤＬ組成物の中で主要な洗浄成分（または基本界面活性剤配合物）として機能する１以上のアニオン性界面活性剤を含んでいる。特に、アルキルベンゼンスルホン酸は有効な脱脂剤であり、（硬水中を除いて）良好な泡の外形を有し、ｐＨ耐性があり、かつ低コストであるので広範に使用される。アミンが、アルカリ性の源としてＬＤＬ組成物中に普通に使用されている。油汚れの軟水中での適切な洗浄を確保するために、多くのＬＤＬ組成物はさらに、二価イオン、たとえばＭｇおよびＣａを含んでいる。しかし、このようなイオンの使用はＬＤＬの安定性に望ましくない効果を及ぼしかねず、該ＬＤＬからの当該イオンの望ましくない沈降をもたらすことがある。
【０００５】
有機塩基、亜鉛塩および錯化剤をＬＤＬ組成物に使用して、アルミニウム器具の前処理を許して、このような器具の付随した変色を殆どまたは全く起こさない方法を、米国特許第４９９２２１２号は教示する。
【０００６】
アルキルアルコキシル化サルフェートおよび／またはアルキルサルフェート並びに特定の第一級アミンおよび／または第三級アミンを含んでいる、主に布地のクリーニングに使用される洗剤組成物を、米国特許第５９８１４６６号は記載する。
【０００７】
また、低分子量ジアミンを含んでいる、食器手洗い洗剤を、米国特許第５９９００６５号は記載する。しかし、この発明はマグネシウムおよび／またはカルシウムの添加を要求し、これはより低度に安定な配合物をもたらす。米国特許第６０６９１２２号も、低分子量ジアミンを含んでいる、食器手洗い洗剤を記載する。
【０００８】
しかし、本明細書に記載された群から選択された１以上の脂肪族アミン誘導体およびアニオン性基本界面活性剤配合物約５重量％〜約５０重量％を含んでいるＬＤＬ組成物であって、該アニオン性基本界面活性剤配合物がＣ６〜Ｃ２２のアルキル基を有するアルキルベンゼンスルホン酸塩を含んでいるものを、上の特許のいずれも開示していない。さらに、上で検討された従来技術のＬＤＬ組成物の多くは、９〜１１、時にはそれ以上のｐＨを有し、人の皮膚に刺激性でありうる範囲である。
【特許文献１】米国特許第４９９２２１２号公報
【特許文献２】米国特許第５９８１４６６号公報
【特許文献３】米国特許第５９９００６５号公報
【特許文献４】米国特許第６０６９１２２号公報
【発明の開示】
【発明が解決しようとする課題】
【０００９】
したがって、焼き付いた油脂性汚れの改良された除去を提供することができる、費用効果の高いＬＤＬ組成物の必要性が存在し続けている。焼き付いた油脂性汚れに有効であり、それでいて良好な起泡特性を維持し、かつ人の皮膚に温和なｐＨ範囲にあるＬＤＬ組成物のさらなる必要性が存在する。
【課題を解決するための手段】
【００１０】
より詳細に本明細書に記載された、あるアニオン性基本界面活性剤配合物と併用してある脂肪族アミン誘導体を使用することは、一方で依然として望ましい起泡性、粘度または温和さの特性を維持しながら、従来技術のＬＤＬ組成物と比較されたときに改良された洗浄特性をもたらすことが、今思いがけず発見された。
【発明の効果】
【００１１】
本発明の改良された洗浄能力の故に、一方で依然として従来技術のＬＤＬ組成物と同じ洗浄のレベルを維持しながら、本明細書に記載されたＬＤＬ組成物中の全界面活性剤含有量を低減して、製造費用の有意な節減をもたらすことも可能である。
【００１２】
さらに、本発明のＬＤＬ組成物の強い洗浄特性は、洗浄能力への有害な効果なしにＭｇ／Ｃａイオンの低減または排除を許す。
【発明を実施するための最良の形態】
【００１３】
より特には、本発明は、
（ａ）Ｃ６〜Ｃ２２のアルキル基を有するアルキルベンゼンスルホン酸塩を含んでいるアニオン性基本界面活性剤配合物約５重量％〜約５０重量％、および
（ｂ）
2008516012.tif 000002
2008516012.tif 000003
2008516012.tif 000004
2008516012.tif 000005
2008516012.tif 000006
およびこれらの混合物
（ここで、Ｒ１はＣ６〜Ｃ２２の、直鎖若しくは分岐の、飽和若しくは不飽和のアルキルであり；Ｒ２、Ｒ３、Ｒ４、Ｒ５、およびＲ６はそれぞれ水素、メチル、ヒドロキシエチル、ヒドロキシプロピルか、あるいはアルキルのいずれかであり；またはＲ２およびＲ３、若しくはＲ４およびＲ５は窒素とともに６員までの複素環を形成し；またはＲ２およびＲ３、若しくはＲ４およびＲ５は一緒になって−ＣＨ２ＣＨ２ＯＣＨ２ＣＨ２−基を形成し；Ｒ７はＣ５〜Ｃ２１の、直鎖若しくは分岐の、飽和若しくは不飽和のアルキルであり；Ｒ８は水素若しくはメチルであり；ｗ、ｘ、およびｙはそれぞれ２〜６の整数であり；ｚは１〜３０の整数であり；ｕは１以上の整数であり；並びにｖは２以上の整数である。）
からなる群から選択された少なくとも１の脂肪族アミン誘導体
を含んでいる軽質液体洗剤組成物に関する。
【００１４】
他の面では、本発明は、
（ａ）少なくとも１の中和剤を水に添加して、溶液を形成すること、
（ｂ）Ｃ６〜Ｃ２２のアルキル基を有するアルキルベンゼンスルホン酸を溶液（ａ）に添加すること、
（ｃ）任意的に、マグネシウムイオン、カルシウムイオン、ヒドロトロープ、泡安定剤、緩衝剤、染料、保存剤、芳香剤、フィラー、キレート剤、可溶化剤、抗刺激剤、防汚ポリマー、分散剤、増粘剤、殺菌剤、抗真菌剤、明色化剤、酵素、研磨剤、および防錆剤からなる群から選択された少なくとも１の追加の成分を溶液（ｂ）に添加すること、および
（ｄ）
2008516012.tif 000007
2008516012.tif 000008
2008516012.tif 000009
2008516012.tif 000010
2008516012.tif 000011
およびこれらの混合物
（ここで、Ｒ１はＣ６〜Ｃ２２の、直鎖若しくは分岐の、飽和若しくは不飽和のアルキルであり；Ｒ２、Ｒ３、Ｒ４、Ｒ５、およびＲ６はそれぞれ水素、メチル、ヒドロキシエチル、ヒドロキシプロピルか、あるいはアルキルのいずれかであり；またはＲ２およびＲ３、若しくはＲ４およびＲ５は窒素とともに６員までの複素環を形成し；またはＲ２およびＲ３、若しくはＲ４およびＲ５は−ＣＨ２ＣＨ２ＯＣＨ２ＣＨ２−基を一緒に形成し；Ｒ７はＣ５〜Ｃ２１の、直鎖若しくは分岐の、飽和若しくは不飽和のアルキルであり；Ｒ８は水素若しくはメチルであり；ｗ、ｘ、およびｙはそれぞれ２〜６の整数であり；ｚは１〜３０の整数であり；ｕは１以上の整数であり；並びにｖは２以上の整数である。）
からなる群から選択された少なくとも１の脂肪族アミン誘導体を溶液（ｃ）に添加すること
の段階を含んでいる軽質液体洗剤組成物の調製方法に関する。
【００１５】
さらに他の面では、本発明は、
（ａ）
（i）Ｃ６〜Ｃ２２のアルキル基を有するアルキルベンゼンスルホン酸塩を含んでいるアニオン性基本界面活性剤配合物約５重量％〜約５０重量％、および
（ii）
2008516012.tif 000012
2008516012.tif 000013
2008516012.tif 000014
2008516012.tif 000015
2008516012.tif 000016
およびこれらの混合物
（ここで、Ｒ１はＣ６〜Ｃ２２の、直鎖若しくは分岐の、飽和若しくは不飽和のアルキルであり；Ｒ２、Ｒ３、Ｒ４、Ｒ５、およびＲ６はそれぞれ水素、メチル、ヒドロキシエチル、ヒドロキシプロピルか、あるいはアルキルのいずれかであり；またはＲ２およびＲ３、若しくはＲ４およびＲ５は窒素とともに６員までの複素環を形成し；またはＲ２およびＲ３、若しくはＲ４およびＲ５は一緒になって−ＣＨ２ＣＨ２ＯＣＨ２ＣＨ２−基を形成し；Ｒ７はＣ５〜Ｃ２１の、直鎖若しくは分岐の、飽和若しくは不飽和のアルキルであり；Ｒ８は水素若しくはメチルであり；ｗ、ｘ、およびｙはそれぞれ２〜６の整数であり；ｚは１〜３０の整数であり；ｕは１以上の整数であり；並びにｖは２以上の整数である。）
からなる群から選択された少なくとも１の脂肪族アミン誘導体
を含んでいる軽質液体洗剤組成物の、洗浄に有効な量を硬質表面に施与すること、
（ｂ）該軽質液体洗剤組成物が汚れを落ち易くすることを許すこと、および
（ｃ）該硬質表面をすすいで、落ち易くされた汚れおよび該軽質液体洗剤組成物の在りうる残留量を除去すること
を含む、硬質表面から汚れを除去する方法に関する。
【００１６】
本発明はまたさらに、汚れた皿、または他の台所用品を洗う方法において、上述のＬＤＬ組成物の有効な量が布、スポンジまたは同様の洗浄具上へと吸収され、該布、スポンジまたは同様の洗浄具が各汚れた物品の表面に接触され、そして各汚れた物品が水ですすがれる上記方法に関する。「有効な量」とは、物品が適切に洗浄されたとその使用者が、自身の習慣およびやり方に基づいて判断するのに十分な汚れを該物品の表面から除去するのに十分な量を意味する。
【００１７】
本発明はさらに、汚れた物品を洗う方法において、本発明のＬＤＬ組成物の洗浄に有効な量が水で希釈されて、希釈溶液が形成され、該汚れた物品のそれぞれが該希釈溶液中に浸漬されそして該汚れた物品のそれぞれの表面が布、スポンジまたは同様の洗浄具に接触される方法か；あるいは本発明のＬＤＬ組成物の洗浄に有効な量が水で希釈されて、希釈溶液が形成され、布、スポンジまたは同様の洗浄具がまず該希釈溶液中に浸漬されそして次に該布、スポンジまたは同様の洗浄具が汚れた物品のそれぞれの表面に接触される方法に関する。「有効な量」とは、物品が適切に洗浄されたとその使用者が、自身の習慣およびやり方に基づいて判断するのに十分な汚れを該物品の表面から除去するのに十分な量を意味する。
【００１８】
さらなる目的、利点および新規な特徴は、以下に続く記載を検討すると、当業者には明らかだろう。
【００１９】
本明細書で使用される全ての部、百分率、および比は、他様に指定されない限り、重量パーセントとして表現される。
【００２０】
Ｃ６〜Ｃ２２のアルキル基を有する少なくとも１のアルキルベンゼンスルホン酸塩を含んでいるアニオン性基本界面活性剤配合物を、本発明は使用する。他のアニオン性界面活性剤、たとえばアルファオレフィンスルホン酸塩（ＡＯＳ）、パラフィンスルホン酸塩（ＰＳ）、第二級アルカンスルホン酸塩（ＳＡＳ）、脂肪族アルコール硫酸塩（ＦＡＳ）、スルホン化脂肪酸若しくはそれらのエステル、またはこれらの混合物も、該ＬＤＬの洗浄または他の特性をさらに高めるために、本発明のアニオン性基本界面活性剤配合物の一部として使用されることができる。しかし、エーテル硫酸塩の添加は、該アルキルベンゼンスルホン酸塩の脱脂能力に拮抗作用を及ぼすことがあり、好ましくは本発明のＬＤＬ組成物は実質的にエーテル硫酸塩を含まない。
【００２１】
好ましくは、アニオン性界面活性剤基本配合物は、約５％〜約５０％、より好ましくは約７％〜約３０％に等しい量で存在する。該アルキルベンゼンスルホン酸塩は、直鎖かあるいは分岐であることができ、ナトリウム、マグネシウム、イソプロピルアミン、トリエタノールアミン、またはカルシウムの塩の形をしていることができる。本発明の１の好まれる実施態様においては、該アルキルベンゼンスルホン酸塩は、マグネシウムかあるいはナトリウムの形をした直鎖ドデシルベンゼンスルホン酸塩である。
【００２２】
アニオン性かあるいは非イオン性の二次界面活性剤が、本発明のＬＤＬ組成物に添加されてもよい。これらの二次界面活性剤は基本界面活性剤配合物の一部ではなく、多様な他の増進用の理由、たとえば皮膚への改良された温和さ、泡の増加、泡の安定化および粘度の調整のために添加される。たとえば、アルキルベンゼンスルホン酸塩は、硬水と使用されると、より低度に望ましい起泡外形を有し、皮膚から脂肪を取り除いて、皮膚を乾燥させひび割れし易くすることも知られている。典型的には、脱脂効果を低減し、硬水中における泡の増加を付与するために、二次界面活性剤は該ＬＤＬに添加されるだろう。好適な二次界面活性剤の例は、ベタイン、アルカノールアミド、アミンオキシド、アルキルポリグルコシド、脂肪酸グルカミド、および脂肪族アルカノールアミドを含む。しかし、アミンオキシドは該アルキルベンゼンスルホン酸塩の脱脂能力に拮抗作用を及ぼすかも知れず、好ましくは本発明のＬＤＬ組成物は実質的にアミンオキシドを含まない。
【００２３】
本発明はさらに、
2008516012.tif 000017
2008516012.tif 000018
2008516012.tif 000019
2008516012.tif 000020
2008516012.tif 000021
およびこれらの混合物
（ここで、Ｒ１はＣ６〜Ｃ２２の、直鎖若しくは分岐の、飽和若しくは不飽和のアルキルであり；Ｒ２、Ｒ３、Ｒ４、Ｒ５、およびＲ６はそれぞれ水素、メチル、ヒドロキシエチル、ヒドロキシプロピルか、あるいはアルキルのいずれかであり；またはＲ２およびＲ３、若しくはＲ４およびＲ５は窒素とともに６員までの複素環を形成し；またはＲ２およびＲ３、若しくはＲ４およびＲ５は一緒になって−ＣＨ２ＣＨ２ＯＣＨ２ＣＨ２−基を形成し；Ｒ７はＣ５〜Ｃ２１の、直鎖若しくは分岐の、飽和若しくは不飽和のアルキルであり；Ｒ８は水素若しくはメチルであり；ｗ、ｘ、およびｙはそれぞれ２〜６の整数であり；ｚは１〜３０の整数であり；ｕは１以上の整数であり；並びにｖは２以上の整数である。）
からなる群から選択された少なくとも１の脂肪族アミン誘導体を含んでいる。
【００２４】
本明細書に記載された１以上の脂肪族アミン誘導体の添加は、驚いたことに油脂性のまたは焼き付き汚れを除去するアルキルベンゼンスルホン酸塩の有効性を相乗的に高めることが発見された。好ましくは、（１または複数の）脂肪族アミン誘導体は、該ＬＤＬ組成物中に約０．１％〜約１０％に等しい量、より好ましくは約０．１％〜約５％に等しい量、最も好ましくは約０．１％〜約２％に等しい量で存在する。
【００２５】
エーテル硫酸塩かあるいはアミンオキシドまたは両者が、本発明に従うＬＤＬ組成物に添加されるならば、エーテル硫酸塩若しくはアミンオキシドまたは両者の添加前のＬＤＬ組成物と同等の洗浄性能を達成するために、焼き付き汚れを除去するアルキルベンゼンスルホン酸塩の能力にこれらの界面活性剤が及ぼすかも知れない何らかの拮抗作用に対抗するために、脂肪族アミン誘導体の量は増加されてもよい。
【００２６】
多価カチオン、特にマグネシウムイオンおよびナトリウムイオンの無機若しくは有機塩またはオキシドをＬＤＬ組成物中に含める利点は、従来技術で周知である。しかし、このような組成物に使用されるマグネシウムイオンまたはナトリウムイオンの全量は、これらのイオンは往々にして配合上の難点を引き起こしうるので、限定されなければならないことも同じように周知である。たとえば、市販のＬＤＬ製品中の典型的なマグネシウムイオン含有量は、０．０４〜０．４％に亘っている。本明細書に記載されたアニオン性界面活性剤基本配合物への該脂肪族アミン誘導体の添加は、高められた洗浄を付与することに加えて、思いがけないことにこのようなイオンを含めなくても効果的な洗浄を許す。しかし、現在市販されているＬＤＬ組成物と比較されたときに洗浄有効性の何らの対応する喪失なく、ＬＤＬ組成物中に使用されるイオン量の低減が図られうるという付加的な利益とともに洗浄特性をさらに高めるために、所望であれば、本発明のＬＤＬ組成物中にこれらのイオンはやはり含められてもよい。このようなイオンが添加されるならば、好ましくはマグネシウムイオンが使用される。本発明の１の好まれる実施態様では、約０．０４％〜約０．２５％のレベルでマグネシウムイオンが添加される。マグネシウムイオンまたはナトリウムイオンの好適な源の例は、塩、たとえば塩化物、硫酸塩、酢酸塩、硫化物、水酸化物若しくは界面活性剤の対イオン、たとえばエーテル硫酸塩、アルキルベンゼン硫酸塩、アルカノールアミドまたはこれらの組み合わせを含む。
【００２７】
本発明の組成物中に含有されている界面活性剤の溶解度を増加するために、任意的にヒドロトロープ剤およびカップリング剤がその中に含められてもよい。本発明に使用するのに適したヒドロトロープ剤およびカップリング剤の例は、キシレンスルホン酸ナトリウム、クメンスルホン酸ナトリウム、トルエンスルホン酸ナトリウム、エタノール、イソプロパノール、プロピレングリコール、ポリエチレングリコールまたはこれらの混合物を含む。
【００２８】
アルキルベンゼンスルホン酸を中和するために、配合物のｐＨを調節して洗浄性能を最適化するために、または人の皮膚により温和と考えられる範囲にｐＨを調節ために、任意的に緩衝剤および中和剤も記載された組成物に添加されてもよい。本発明に使用するのに適した緩衝剤および中和剤の例は、尿素、アンモニア、水酸化ナトリウム、水酸化カリウム、クエン酸、硫酸、塩化水素酸、アルカノールアミン、およびエタノールアミンを含む。本発明品のｐＨは約５〜約１２であることが好まれる。より好ましくは、本発明品のｐＨは約７．５〜約９．５である。
【００２９】
上記の成分に追加して、本発明品は任意的におよび好ましくは、全体としての製品性能および外観を改良するのに役立つ１以上の付加成分を含有することができる。これらは、染料、保存剤、芳香剤、キレート剤、可溶化剤、防汚ポリマー、抗刺激剤、分散剤、増粘剤、殺菌剤、抗真菌剤、明色化剤、酵素、研磨剤、および防錆剤を包含する。従来技術で知られる任意の慣用付加成分は、本発明に使用するのに適している。好適な保存剤の例は、ホルムアルデヒド、グルタルアルデヒド、エタノール、安息香酸、カトン（ｋａｔｈｏｎ）、ドウィシル（ｄｏｗｉｃｉｌ）、ブロノポール（ｂｒｏｎｏｐｏｌ）、およびヒドロキシ安息香酸を含む。追加の洗浄性能を付与するために、アルコールエトキシル化物および脂肪酸エトキシル化物も付加物として添加されることができる。
【００３０】
本発明のＬＤＬ組成物を製造する際に、その成分が特定の順序で添加されたときにのみ、改良された洗浄性能が示される。より具体的には、脂肪族アミン誘導体は、中和パッケージの一部として（すなわち、中和剤とともに）添加されることができない。本発明品の１の好まれる製造方法では、少なくとも１の中和剤が水に最初に添加されて、溶液を形成する。Ｃ６〜Ｃ２２のアルキル基を有するアルキルベンゼンスルホン酸が該溶液に添加される。エトキシル化エーテル硫酸塩かあるいはエトキシル化アミドが使用されるならば、これらの成分は、該溶液が約ｐＨ６以上にあるときにのみ添加されなければならない。というのは、エトキシル化エーテル硫酸塩は、これより低いｐＨ値においては直ちに加水分解するだろうからである。ｐＨを適当な値に調節するために、これらの成分の前に緩衝剤が添加される必要があるかも知れない。任意的な追加の成分、たとえばマグネシウムイオン若しくはカルシウムイオン、ヒドロトロープ、泡安定剤、または緩衝剤が次に添加される。任意の付加物、たとえば上記のものが使用されるならば、これらもこの時点で添加される。それから、１以上の脂肪族アミン誘導体が添加される。最後に、粘度およびｐＨについて微調整が行われる。
【００３１】
消費者の多様な洗い方法に使用されたときに、本発明品はその改良された洗浄能力を維持する。これらの方法は、たとえば以下の消費者の典型的な慣行を包含する。
（１）  洗われるべき物品の上に直接に、または洗浄具（スポンジ、ブラシ、ぼろきれ等）の上にＬＤＬを置き、該洗浄具で該物品を洗うこと、
（２）  たらい、流しまたはつぼに水を入れ、ＬＤＬを加え、洗われるべき１または複数の物品を該たらい、流しまたはつぼに沈め、それから洗浄具で洗うこと、
（３）  容器、たとえば水ばちまたはボウルにＬＤＬを加え、該ボウルに水を入れ、該容器に収納された溶液を使用して物品を洗うこと、
【００３２】
以下の実施例は、記載された本発明の軽質液状組成物を例証する。これらの実施例は例示であり、本発明の範囲を限定しない。全ての実施例において、セラミックのタイルが普通の台所型の汚れ、たとえばラード、油、小麦粉および牛乳で汚され、そして焼かれた。機械によるこすり洗い試験が実施される前および後の両方の分光光度計の示度によって、汚れ除去パーセントが測定された。
【実施例１】
【００３３】
以下の軽質液状組成物が調製された。
2008516012.tif 000022
【００３４】
中和剤、たとえば水酸化ナトリウム約２重量％が水に添加された。ドデシルベンゼンスルホン酸が完全に溶液である限度までゆっくりと添加された。上記の他の成分が列記された順序で添加された。上の配合物にキシレンスルホン酸ナトリウムを使用することによって、最終粘度が３００〜４００ｃｐｓになるまで粘度の調整が行われた。ｐＨが検査され、必要に応じて調整された。
【００３５】
実施例１に示されたように、ｐＨ６〜９では焼かれた台所油脂を除去する基本配合物Ａの能力は非常に限定されているが、配合物のｐＨが１０以上であると２０％だけ増加する。これより高いｐＨ値では、さらなる増加は見られない。本発明に従う、処方Ｃにおけるエトキシル化（２）タローアルキルアミン１％の添加は、４０％の増加をもたらした。脂肪族アミン誘導体のエチレンオキシド含有量のさらなる増加は、焼き付いた台所汚れの除去の同じ向上を示さなかった。
【実施例２】
【００３６】
以下の軽質液状組成物が調製された。
2008516012.tif 000023
【００３７】
中和剤、たとえば水酸化ナトリウム約２重量％が水に添加された。ドデシルベンゼンスルホン酸が完全に溶解される限度まで添加された。それから、残りの成分が上に列記された順序で添加された。キシレンスルホン酸ナトリウムを使用することによって、３００〜４００ｃｐｓの最終粘度が達成されるまで粘度が調整された。ｐＨが検査され、必要であれば約８．５に調整された。
【００３８】
実施例２に見られるように、ドデシルベンゼンスルホン酸塩処方物へのマグネシウムイオンの添加は、洗浄の劇的な増加をもたらす。ＤＤＢＳＡとともにマグネシウムイオン０．３％レベルにおいて、汚れの除去は大きいが、マグネシウムが０．１５％へ減少すると２０％だけ落ちる。ラウレス（２）硫酸ナトリウムが配合物に添加されると、さらなる減少が見られる。しかし、本発明に記載された、各配合物への脂肪族アミン誘導体１％の添加は、マグネシウムイオン０．３％においてさえ、汚れ除去の統計的に有意な増加をもたらす。上の処方Ｌに見られるように、脂肪族アミン誘導体単独だけでは洗浄は起きない。
【実施例３】
【００３９】
以下の軽質液状組成物が調製された。
2008516012.tif 000024
【００４０】
水酸化ナトリウム約２重量％が水に添加された。ドデシルベンゼンスルホン酸が完全に溶液である限度までゆっくりと添加された。上記の他の成分が列記された順序で添加された。上の配合物にキシレンスルホン酸ナトリウムを使用することによって、３００〜４００ｃｐｓの最終粘度が達成されるまで粘度が調整された。ｐＨが検査され、必要であれば約８．５に調整された。
【００４１】
マグネシウムの０．０６％への低減およびラウレス（３）硫酸ナトリウムの増加は、実施例２の処方Ｈと比較して洗浄性能のさらなる低下を示す。本発明に従う、処方Ｍへの脂肪族アミン誘導体の添加は、焼き付いた台所汚れの除去の有意な増加をもたらす。
【実施例４】
【００４２】
脂肪族アミン誘導体が中和パッケージの一部として添加されたことを除いて、実施例３の配合物Ｏについてと同じ成分を使用しておよび同じ量で、配合物Ｐが調製された。
2008516012.tif 000025
【００４３】
上に示されたように、実施例３の処方Ｏと比較されると、処方Ｐには洗浄の有意な低下がある。
【実施例５】
【００４４】
以下の成分、すなわちラウレス硫酸ナトリウム、ドデシルベンゼンスルホン酸ナトリウム、アミンオキシド、スルホン化メチルエステル、および他の少量成分に基づく市販のＬＤＬ組成物に、脂肪族アミン誘導体が添加された。該処方はマグネシウムイオン含有量約０．３６％を有する。
2008516012.tif 000026
【００４５】
本明細書に記載された各種の脂肪族アミン誘導体の添加によって、配合物Ｓ〜Ｘは全て、焼き付いた台所汚れの除去の有意な増加を示す。
【国際調査報告】
2008516012.tif 000042
2008516012.tif 000043
2008516012.tif 000044